(57)【特許請求の範囲】
【請求項１】
天端の仕上げレベルが異なる基礎を連結して施工する際に、前記基礎の天端の仕上げレベルに合わせてそれぞれの天端がレベル差を有して組み立てられた鋼製型枠の天端に略平板状の定規部材がそれぞれ載置され、
前記基礎のうち天端の仕上げレベルが高い高天端レベル基礎に載置された前記定規部材が、前記基礎のうち天端の仕上げレベルが低い低天端レベル基礎上に突出しており、前記高天端レベル基礎に載置された前記定規部材の前記低天端レベル基礎上に突出した部分と、前記低天端レベル基礎に載置された前記定規部材との間に、高さが前記レベル差に応じて設定された段差処理部材が配設されることにより、前記定規部材同士が前記レベル差を保持して固定されることを特徴とする鋼製型枠段差処理構造。
【発明の詳細な説明】
【技術分野】
【０００１】
本発明は、天端の仕上げレベルが異なる基礎を連結して施工する際に、高さの異なる鋼製型枠を用いて基礎を施工できる鋼製型枠段差処理構造に関する。
【背景技術】
【０００２】
住宅等の小規模建築物の基礎を施工する場合、基礎立上り部の型枠には、一般に、鋼製型枠が用いられる。この鋼製型枠の施工方法を簡単に説明すると、まず、砕石、割栗石等により施工された地業の上に載置された鋼製型枠受け具に鋼製型枠を所定間隔をあけて２列に対向するように載置するとともに、鋼製型枠の天端レベルを揃えて鋼製型枠を組み立てる。次いで、鋼製型枠の通り精度を確保するために、鋼製型枠の天端に定規部材（例えば、特許文献１参照。）を設置する。この定規部材は、アンカーボルトを所定位置に保持するためにも用いられるものである。なお、定規部材は、所定の精度を確保するために鋼製の平面部材により作製されたものが多い。これは、曲げ加工や溶接加工等を施された鋼製部材は、作製時や保管時等において精度にくるいが生じやすいためである。
【０００３】
ところで、鋼製型枠の高さには、様々な寸法のものがある。ただし、上記したように、鋼製型枠の天端に設置される定規部材は平面部材により作製されているため、鋼製型枠の天端レベルを揃える必要がある。例えば、建物の外周部分に設けられる外周基礎と、建物の屋内部分に設けられる間仕切基礎とは、床部の高さ分だけ高さが異なり、間仕切基礎の天端レベルの方が外周基礎の天端レベルより低く仕上げられるが、外周基礎と間仕切基礎の連結部分においては、施工に用いる鋼製型枠は、間仕切基礎の天端レベルの方が低いにもかかわらず、高さ寸法が同じ鋼製型枠を用いている。
【特許文献１】実開平１−３３８５３号公報
【発明の開示】
【発明が解決しようとする課題】
【０００４】
ここで、以下のような問題点がある。まず、第１の問題点としては、図５に示すように、定規部材１００と間仕切基礎１０１の天端１０２との間に空間が生じるため、アンカーホルダ１０３及び連結部材１０４を用いてアンカーボルト１０５を定規部材１００に固定しなければならず、施工の手間がかかるとともに、アンカーホルダ１０３や連結部材１０４等の部材にコストがかかっていた。次に、第２の問題点としては、天端の仕上げレベルが低い間仕切基礎１０１の部分においては、必要な寸法よりも大きな鋼製型枠１０６を用いなければならず、そのため、施工に労力がかかるとともに作業性が悪く、また、鋼製型枠１０６の部材コストが必要以上にかかっていた。
【０００５】
そこで、本発明は、天端の仕上げレベルが異なる基礎を連結して施工する際に、基礎の天端の仕上げレベルに合わせてそれぞれの天端がレベル差を有して組み立てられた鋼製型枠を使用して基礎を施工できるとともに、施工が容易で、かつ、コストを抑えることができる鋼製型枠段差処理構造を提供することを目的とする。
【課題を解決するための手段】
【０００６】
上記目的を達成するために、請求項１記載の鋼製型枠段差処理構造は、天端の仕上げレベルが異なる基礎を連結して施工する際に、前記基礎の天端の仕上げレベルに合わせてそれぞれの天端がレベル差を有して組み立てられた鋼製型枠の天端に略平板状の定規部材がそれぞれ載置され、前記基礎のうち天端の仕上げレベルが高い高天端レベル基礎に載置された前記定規部材が、前記基礎のうち天端の仕上げレベルが低い低天端レベル基礎上に突出しており、前記高天端レベル基礎に載置された前記定規部材の前記低天端レベル基礎上に突出した部分と、前記低天端レベル基礎に載置された前記定規部材との間に、高さが前記レベル差に応じて設定された段差処理部材が配設されることにより、前記定規部材同士が前記レベル差を保持して固定されることを特徴としている。
【発明の効果】
【０００７】
本発明の請求項１の鋼製型枠段差処理構造によれば、天端の仕上げレベルが異なる基礎を連結して施工する際に、前記基礎の天端の仕上げレベルに合わせてそれぞれの天端がレベル差を有して組み立てられた鋼製型枠の天端に略平板状の定規部材がそれぞれ載置され、前記定規部材同士が段差処理部材により前記レベル差を保持して固定されるため、組み立てられた鋼製型枠のレベル差を段差処理部材により処理して鋼製型枠の天端に載置された定規部材を固定でき、そのため、基礎の天端の仕上げレベルに合わせてそれぞれの天端がレベル差を有して組み立てられた鋼製型枠を使用して基礎を施工できる。また、基礎の天端の仕上げレベルに合わせた鋼製型枠を用いるため、施工が容易で、かつ、コストを抑えることができる。
【発明を実施するための最良の形態】
【０００８】
以下、本発明の実施の形態に係る鋼製型枠段差処理構造について図面に基づいて説明する。
図１は、本発明の実施の形態に係る鋼製型枠段差処理構造１の概略構成を示す斜視図である。鋼製型枠段差処理構造１は、図示するように、高さが６００ｍｍのＨ６００鋼製型枠２、高さが５００ｍｍのＨ５００鋼製型枠３、定規部材４、及び段差処理部材５を主体に構成される。以下、詳細に説明する。
【０００９】
Ｈ６００鋼製型枠２及びＨ５００鋼製型枠３は、それぞれ所定の間隔をおいて２列に対向して並設されて基礎の立上り部を形成するために用いられる鋼製型枠である。本実施例では、外周基礎と間仕切基礎をＴ字状に連結して施工する場合を示しており、天端の仕上げレベルが高い外周基礎を施工する部分にＨ６００鋼製型枠２を用い、天端の仕上げレベルが低い間仕切基礎を施工する部分にＨ５００鋼製型枠３を用いている。
【００１０】
定規部材４は、略平板状の鋼板に複数のアンカーボルト支持孔４０、コンクリート投入孔４１、定規部材４を鋼製型枠又は段差処理部材５に固定するための固定孔４２、及び定規部材４の位置出しをするための目印４３が設けられたものであって、Ｈ６００鋼製型枠２及びＨ５００鋼製型枠３の天端に載置されて、Ｈ６００鋼製型枠２及びＨ５００鋼製型枠３の通り精度を確保するとともに、アンカーボルト１０５を所定位置に保持するために用いられるものである。
【００１１】
段差処理部材５は、図１及び図２に示すように、異なる天端レベルを有するＨ６００鋼製型枠２及びＨ５００鋼製型枠３のそれぞれの天端に載置された定規部材４同士のレベル差を保持するための断面略コ字状をした鋼製部材である。この段差処理部材５は、Ｈ５００鋼製型枠３の天端に載置された定規部材４上に載置される略長方形の下板５０と、該下板５０の一方の長辺の縁部から略垂直上方に突設された連結板５１と、該連結板５１の上端から前記下板５０と同じ方向に略垂直に突設された上板５２とからなる。連結板５１の高さは、Ｈ６００鋼製型枠２の天端に載置された定規部材４が略水平の状態となるように、上板５２が定規部材４の下面を受止できるように、Ｈ６００鋼製型枠２とＨ５００鋼製型枠３の天端のレベル差に応じて設定される。また、下板５０と上板５２には、固定ピン挿通孔５３が設けられている。
【００１２】
以上の構成の鋼製型枠段差処理構造１を施工するには、図１に示すように、まず、施工する基礎の外周基礎部分にＨ６００鋼製型枠２を、間仕切基礎部分にＨ５００鋼製型枠３を用いて基礎の連結部分を形成する型枠を組み立てる。ついで、Ｈ６００鋼製型枠２及びＨ５００鋼製型枠３の天端にそれぞれ定規部材４を載置・固定するとともに、定規部材４同士の間に段差処理部材５を設置する。そして、図３に示すように、Ｈ６００鋼製型枠２の天端に載置された定規部材４の固定孔４２、及び段差処理部材５の上板５２に設けられた固定ピン挿通孔５３に固定ピン５４を上方から挿通して上のレベルにある定規部材４と段差処理部材５を固定する。同様に、段差処理部材５の下板５０に設けられた固定ピン挿通孔５３、Ｈ５００鋼製型枠３の天端に載置された定規部材４の固定孔４２、及びＨ５００鋼製型枠３の天端に設けられた固定孔３０に固定ピン５４を上方から挿通して段差処理部材５、下のレベルにある定規部材４、及びＨ５００鋼製型枠３を固定する。
【００１３】
このようにして鋼製型枠段差処理構造１を施工することにより、図４に示すように、天端の仕上げレベルが低い間仕切基礎に合わせてＨ５００鋼製型枠３を用いるため、アンカーホルダ１０３や連結部材１０４を用いることなくアンカーボルト１０５を定規部材４に固定できる。そのため、アンカーホルダ１０３や連結部材１０４を施工する手間を省くことができるとともに、アンカーホルダ１０３や連結部材１０４を用いるためのコストを抑えることができる。
【００１４】
以上の説明より明らかなように、本発明の実施の形態に係る鋼製型枠段差処理構造１によれば、組み立てられたＨ６００鋼製型枠２及びＨ５００鋼製型枠３の天端のレベル差を段差処理部材５により処理してＨ６００鋼製型枠２及びＨ５００鋼製型枠３の天端に載置された定規部材４を固定できる。そのため、外周基礎及び間仕切基礎の天端の仕上げレベルに合わせてそれぞれの天端がレベル差を有して組み立てられたＨ６００鋼製型枠２及びＨ５００鋼製型枠３を使用して基礎を施工できる。また、天端レベルの低い間仕切基礎の天端の仕上げレベルに合わせてＨ５００鋼製型枠３を用いるため、施工が容易で、かつ、コストを抑えることができる。
【００１５】
なお、本発明は上記実施形態に限定されるものではなく、本発明の要旨の範囲内で種々の変形実施が可能である。例えば、本実施の形態では、Ｈ６００鋼製型枠２及びＨ５００鋼製型枠３を具体例として記載しているが、鋼製型枠の高さは、これらに限定されるものではなく、さまざまな高さの鋼製型枠に適用できる。また、天端の仕上げレベルの異なる基礎の連結は、Ｔ字状の連結に限るものではなく、直列に、すなわちＩ字状に連結する場合にも、本発明は適用可能である。また、段差処理部材５は、上記した断面略コ字状のものに限るものでなく、例えば断面函状のものであってもよい。
【産業上の利用可能性】
【００１６】
本発明は、天端の仕上げレベルが異なる基礎を連結して施工する場合に利用可能である。
【図面の簡単な説明】
【００１７】
【図１】本発明の実施の形態に係る鋼製型枠段差処理構造の概略構成を示す斜視図である。
【図２】段差処理部材の概略構成を示す斜視図である。
【図３】定規部材、段差処理部材、及び鋼製型枠の固定状態を示す斜視図である。
【図４】基礎の天端の仕上げレベルに合わせた鋼製型枠を用いたアンカーボルトの固定状態を示す断面図である。
【図５】従来の基礎の天端の仕上げレベルよりも高い鋼製型枠を用いたアンカーボルトの固定状態を示す断面図である。
【符号の説明】
【００１８】
１    鋼製型枠段差処理構造
２    Ｈ６００鋼製型枠
３    Ｈ５００鋼製型枠
４    定規部材
５    段差処理部材
【図１】
0004534156.tif 000002
【図２】
0004534156.tif 000003
【図３】
0004534156.tif 000004
【図４】
0004534156.tif 000005
【図５】
0004534156.tif 000006